(57)【要約】【課題】  水はねを防止でき、使い勝手の良い水栓装置及び洗面化粧台を提供する。【解決手段】  洗面ボウル３を備える洗面化粧台１に取り付けられ、洗面ボウル３内に水を吐水する水栓装置４の吐水管４２を複数の単位管４２１，４２２を連結して形成し、これら複数の単位管の連結の内の少なくとも１つの連結４２４を鉛直方向に回転可能な連結とし、これにより鉛直方向の吐水角度を任意の角度に調整可能とする。また、洗面ボウル３内に水を吐水すべく上記水栓装置４を取り付けて洗面化粧台１を構成する。【選択図】  図３
2005097988.tif 000002
【特許請求の範囲】
【請求項１】
洗面ボウルを備える洗面化粧台に取り付けられ、洗面ボウル内に水を吐水する水栓装置であって、
鉛直方向の吐水角度を任意の角度に調整可能としたことを特徴とする水栓装置。
【請求項２】
請求項１に記載の水栓装置において、
吐水管を複数の単位管を連結して形成し、これら複数の単位管の連結の内の少なくとも１つの連結を鉛直方向に回転可能な連結としたことを特徴とする水栓装置。
【請求項３】
請求項２に記載の水栓装置において、
鉛直方向に回転可能な連結をヒンジ連結としたことを特徴とする水栓装置。
【請求項４】
洗面ボウルを備える洗面化粧台であって、
洗面ボウル内に水を吐水すべく請求項１乃至３の何れか１項に記載の水栓装置を取り付けたことを特徴とする洗面化粧台。
【発明の詳細な説明】
【技術分野】
【０００１】
本発明は、手洗いや洗顔等に使用される洗面化粧台に取り付けられる水栓装置、及び、これを用いた洗面化粧台に関するものである。より詳しくは、洗面化粧台の洗面ボウルの形状等に合わせて適正な吐水角度に調整可能な水栓装置、及び、これを用いた洗面化粧台に関するものである。
【背景技術】
【０００２】
手洗いや洗顔等に使用される洗面化粧台は、水を吐水するための水栓装置と、吐水された水を受け止めて排水又は溜水するための洗面ボウルとを備えている。そして、水栓装置から洗面ボウル内に水を吐水する際には、使い勝手や水はね防止等を考慮した適正な吐水角度で吐水するようになっている。
例えば、使い勝手を考慮した水栓装置として、吐水装置の先端部を回転することで、歯磨き用の吐水角度と手洗い用の吐水角度とを選択できるようにしたものがある（例えば、特許文献１参照。）。
【特許文献１】特開平１０−８２０８２号公報（段落「００４６」〜「００４７」、図８）
【発明の開示】
【発明が解決しようとする課題】
【０００３】
然しながら、上記従来の水栓装置にあっては、吐水装置の先端部を回転させて吐水角度を調整するため、洗面化粧台の正面方向に向けて吐水する場合の吐水角度は、先端部を真下に向けた状態と、真上に向けた状態での２種類の吐水角度しか選択できず、必ずしも使い勝手が良いものではなかった。
【０００４】
また、近年、洗面化粧台を構成する洗面ボウルや洗面カウンタ等のデザイン化が進み、これらの形状は多種類に及んでおり、水はね防止を考慮した適切な吐水角度は洗面ボウルの形状によって異なり、また、洗面カウンタの形状が異なれば水栓装置の設置角度が異なり、ひいては吐水角度が異なるため、洗面ボウルや洗面カウンタの形状毎に水栓装置を用意しておく必要があった。
【０００５】
さらに、施行現場において、吐水角度を微調整することはほとんど不可能であり、水栓装置の設置具合によっては、水はねが生じていた。
【０００６】
本発明は、以上の事情に鑑みてなされたもので、その課題とするところは、水はねを防止でき、使い勝手の良い水栓装置及び洗面化粧台を提供することにある。
【課題を解決するための手段】
【０００７】
上記の課題を解決するため、本発明の水栓装置は、洗面ボウルを備える洗面化粧台に取り付けられ、洗面ボウル内に水を吐水する水栓装置であって、鉛直方向の吐水角度を任意の角度に調整可能としたことを特徴とする（請求項１）。
【０００８】
これによれば、鉛直方向の吐水角度を任意の角度に調整可能としたので、洗面ボウルの形状等に合わせて適正な吐水角度に調整することができる。また、施行現場において、洗面ボウルの水はね具合を確認しながら吐水角度を任意の角度に調整することができるので、水栓装置の設置具合に依らず、確実に適正な吐水角度に設定することができる。従って、水はねを防止して、使い勝手良く水栓装置を使用することができる。
【０００９】
また、この水栓装置において、吐水管を複数の単位管を連結して形成し、これら複数の単位管の連結の内の少なくとも１つの連結を鉛直方向に回転可能な連結とすると良い（請求項２）。
【００１０】
これによれば、単位管の連結を鉛直方向に回転して吐水管の吐水口を鉛直方向の任意の方向に向けることができ、吐水角度を適正な角度となるように容易に調整することができる。
【００１１】
更に、この水栓装置において、鉛直方向に回転可能な連結をヒンジ連結とすると良い（請求項３）。
【００１２】
これによれば、ヒンジを調整して吐水口を鉛直方向の任意な方向に向けることができ、吐水角度を適正な角度となるように容易に調整することができる。
【００１３】
また、上記の課題を解決するため、本発明の洗面化粧台は、洗面ボウルを備える洗面化粧台であって、洗面ボウル内に水を吐水すべく上記水栓装置を取り付けたことを特徴とする（請求孔４）。
【００１４】
これによれば、水栓装置からの吐水角度を調節して適正な吐水角度で使用することができ、従って、水はねを防止して使い勝手良く使用することができる。
【発明の効果】
【００１５】
本発明によれば、鉛直方向の吐水角度を任意の角度に調整可能としたので、適正な吐水角度にすることができ、従って、水はねを防止して、使い勝手良く水栓装置及び洗面化粧台を使用することができる。
【発明を実施するための最良の形態】
【００１６】
始めに、本発明の実施形態の一例に係る洗面化粧台について、図１を参照して説明する。図１は、実施形態に係る洗面化粧台１の全体構成を示した図である。
【００１７】
図１に示すように、洗面化粧台１は、カウンタ２と、カウンタ２の一部を下方に窪ませて形成したボウル３と、カウンタ２に取り付けられてボウル３内に水を吐水する水栓装置４とを主に備えて構成される。
【００１８】
カウンタ２は、水栓装置４を取り付ける位置に取付孔２１が形成されており、水栓装置４はこの取付孔２１を利用してカウンタ２に取り付けられる。
【００１９】
ボウル３は、底面に排水孔３１が形成され、排水孔３１には配水管（図示せず）が接続されている。そして、水栓装置４からボウル３内に吐水された水は排水孔３１を介して配水管へと排水される。なお、ボウル３内に水を溜める場合には、排水孔３１に止水栓（図示せず）を取り付ければ良い。
【００２０】
カウンタ２及びボウル３は、ステンレス等の金属、陶器、人工大理石等の材料により一体に成形される。
【００２１】
水栓装置４は、カウンタ２の取付孔２１に取り付けられるとともに、給水管３２に接続され、給水管３２から給水を受けてボウル３内に水を吐水する。後述するように、水栓装置４は、鉛直方向の吐水角度を任意の角度に調整できる構造となっている。従って、水栓装置４をカウンタ２に取り付けた後で、水栓装置４から吐水される水の吐水角度を調整することができ、ボウル３の形状や水栓装置４の取り付け状態の如何にかかわらず、使い勝手や水はね防止を考慮した最適な吐水角度で洗面化粧台１を使用することができる。
【００２２】
以上のように構成された洗面化粧台１は、水栓装置４からの吐水角度を最適な吐水角度に調整して使用できるので、水はねを防止して、使い勝手良く使用することができる。
【００２３】
次に、水栓装置４の構造について図２及び３を参照して詳細に説明する。図２は、実施形態に係る水栓装置４の全体構成を示したものであり、図３は、図２の水栓装置４のＢ−Ｂ部分断面図である。
【００２４】
図２に示すように、水栓装置４は、下部がカウンタ２の取付孔２１に固定されとともに下面に給水管３２が接続される胴体部４１と、胴体部４１から分岐して設けられる吐水部４２と、吐水部４２からの吐水の有無及び吐水量を調節する開栓操作部４３とを主に備えて構成される。
【００２５】
胴体部４１は、下部にカウンタ２への取付部４１ａを、下面に給水管３２との接続部（図示せず）を、内部に吐水部４２へと水を導く導水部（図示せず）を、上部に開栓操作部４３の取付部４１ｂをそれぞれ備えて構成される。そして、胴体部４１の側面から分岐して吐水部４２が設けられる。
【００２６】
吐水部４２は、胴体部４１から分岐して設けられる起端側単位管４２１と、起端側単位管４２１の先端側に連結される先端側単位管４２２と、起端側単位管４２１及び先端側単位管４２２の内部に連続して設けられる通水管４２３（図３参照）とを備えて構成される。
【００２７】
起端側単位管４２１と先端側単位管４２２は、水平方向に回転中心を持つヒンジ４２４で回動自在に連結される。これにより、先端側単位管４２２を、その先端に設けた吐水口４２１ａが任意の方向を向くように、鉛直方向に回動させて、吐水口４２１ａからの吐水角度を調整することができる。なお、先端側単位管４２２を任意の位置まで回動させた後に、当該任意の位置で固定するには、例えば、ヒンジ４２４にラッチを設けて固定しても良いし、ヒンジ４２４の回転軸をネジで構成し、該ネジを締め込んで回動を抑制するように固定しても良い。
【００２８】
次に、吐水部４２の内部構造について図３をを参照して説明する。
【００２９】
図３に示すように、通水管４２３は、吐水部４２の起端側から先端側に導水するためのもので、先端側単位管４２２を回動させたときにも追従するように可撓性の配管、例えば、ステンレス性のフレキシブル管で形成される。そして、通水管４２３は、起端側単位管４２１に配設した接続部材４２５に一方端が連結され、先端側単位管４２２に配設した接続部材４２６に他方端が連結される。接続部材４２５，４２６は、筒状部４２５ａ，４２６ａと、フランジ部４２５ｂ，４２６ｂとからなり、フランジ部４２５ｂ，４２６ｂの外周を起端側単位管４２１及び先端側単位管４２２の内周面に設けたネジ４２１ｂ，４２２ｂにそれぞれ螺合して取り付けられ、筒状部４２５ａ，４２６ａに通水管４２３が挿着される。従って、胴体部４１の導水部４１ｃから吐水部４２に供給される水は、先ず、起端側単位管４２１に取り付けた接続部材４２５の筒状部４２５ａ内に入り、次いで道水管４２３を経て、先端側単位管４２２に取り付けた接続部材４２６の筒状部４２６ａを通過して吐水口４２１ａからと吐水される。このとき、前述のように通水管４２３は可撓性に形成されるので、先端側単位管４２２を回動させたときでも、上記水路は確保される。
【００３０】
以上のように構成される水栓装置４は、先端側吐水管４２２を垂直方向に回動して吐水口４２２ａの向く方向を調節することで、垂直方向の吐水角度を任意の角度に調整することができ、依ってボウル３の形状や水栓装置４の取り付け状態の如何にかかわらず、使い勝手や水はね防止を考慮した最適な吐水角度に調整することができる。また、このように１つの水栓装置４で様々なカウンタ２形状、ボウル３形状に対応することができるので、水栓装置４の品種や在庫量を削減することができる。
【００３１】
以上説明した実施形態では、ヒンジ連結の場合を説明したが、これに限られることなく、鉛直方向の吐水角度を任意の角度に調整可能な連結手段であれば、何れであっても良い。
【００３２】
更に、本発明は前述した実施形態に限定されるものではなく、特許請求の範囲に記載された発明の範囲内で、様々に変形又は変更することが可能である。
【図面の簡単な説明】
【００３３】
【図１】実施形態に係る洗面化粧台の全体構成を示した図である。
【図２】実施形態に係る水栓装置の全体構成を示した図である。
【図３】図２の水栓装置のＢ−Ｂ部分断面図である。
【符号の説明】
【００３４】
１  洗面化粧台
２  カウンタ
３  ボウル
４  水栓装置
４１  胴体部
４２  吐水部
４２１  起端側単位管
４２２  先端側単位管
４２３  導水管
４２４  ヒンジ
４２５，４２６  接続部材
【図１】
2005097988.tif 000003
【図２】
2005097988.tif 000004
【図３】
2005097988.tif 000005